(57)【要約】【課題】  表示プレートの表示記号が二重に見えるのを回避できるシフトレバーの表示装置を提供する。【解決手段】  複数の貫通孔１６が配列形成されたカバー部材１２と、カバー部材１２の裏面に配置され、透光性を有すると共に複数の貫通孔１６に嵌合する突起部１７が形成された表示プレート１３と、表示プレート１３を裏面から照射すべく表示プレート１３の裏面に配置された光源とを備えたシフトレバーの表示装置である。表示プレート１３の裏面には、突起部１７と対向する位置に表示記号１８が形成され、突起部１７の側面２１には梨地加工が施されている。これにより、表示プレート１３の裏面から光源で照射しても表示記号１８が二重に見えることはなく、くっきりと表示記号１８を視認することができる。【選択図】  図４
2005145188.tif 000002
【特許請求の範囲】
【請求項１】
複数の貫通孔が配列形成されたカバー部材と、該カバー部材の裏面に配置され、透光性を有すると共に複数の前記貫通孔に嵌合する突起部が形成された表示プレートと、該表示プレートを裏面から照射すべく該表示プレートの裏面に配置された光源とを備え、
前記表示プレートの裏面には、前記突起部と対向する位置に表示記号が形成され、
前記突起部の側面には梨地加工が施されていることを特徴とするシフトレバーの表示装置。
【請求項２】
複数の貫通孔が配列形成されたカバー部材と、該カバー部材の裏面に配置され、透光性を有すると共に複数の前記貫通孔に嵌合する突起部が形成された表示プレートと、該表示プレートを裏面から照射すべく該表示プレートの裏面に配置された光源とを備え、
前記表示プレートの裏面には、前記突起部と対向する位置に表示記号が形成され、
前記突起部の側面は、前記表示プレートの表面に対する傾斜面を有することを特徴とするシフトレバーの表示装置。
【請求項３】
複数の貫通孔が配列形成されたカバー部材と、該カバー部材の裏面に配置され、透光性を有すると共に複数の前記貫通孔に嵌合する突起部が形成された表示プレートと、該表示プレートを裏面から照射すべく該表示プレートの裏面に配置された光源とを備え、
前記表示プレートの裏面には、前記突起部と対向する位置に表示記号が形成され、
前記突起部の側面には梨地加工が施され、且つ前記側面は、前記表示プレートの表面に対する傾斜面を有することを特徴とするシフトレバーの表示装置。
【発明の詳細な説明】
【技術分野】
【０００１】
本発明は、例えば、車両のセンターコンソール部分に設けられＡ/Ｔシフトレンジを表示するシフトレバーの表示装置に関する。
【背景技術】
【０００２】
従来から、例えば、車両のセンターコンソール部分には、シフトレンジを切り替えるためのシフトレバーが設けられ、またドライバーが各シフトレンジの位置を容易に視認できるようにシフトレバーの表示装置が設けられている。一般に、車両は夜間またはトンネル等の暗闇でも利用されるので、暗闇の中でもシフトレンジの位置は容易に視認できるようにしなければならない。そこで、透光性を有する表示プレートに各シフトレンジを示す表示記号（「Ｐ」「Ｒ」「Ｎ」「Ｄ」「１」等）を形成し、表示プレートを裏面から光源で照射することにより各シフトレンジの位置を容易に視認できるようにしたシフトレバーの表示装置が提案されている。（例えば、特許文献１参照。）
上記したシフトレバーの表示装置では、センターコンソール部分の表面となるカバー部材に貫通孔が設けられ、カバー部材の裏面に表示プレートが配置される。表示プレートには貫通孔に嵌合する突起部が形成され、表示プレートの裏面には各突起部と対向する位置にそれぞれ表示記号が形成されている。各表示記号は、表示プレートの裏面に配置された光源により照射され、各表示記号にかたどられた光が各突起部の上端面から出射することで各表示記号は視認される。その結果、暗闇でも各表示記号を容易に視認することができる。
【特許文献１】特開平５−２０１２６５号公報（第１−４頁、第４図）
【発明の開示】
【発明が解決しようとする課題】
【０００３】
しかしながら、上記したシフトレバーの表示装置では、表示プレートの貫通孔に嵌合させるために、各突起部は平坦な表示プレートに対して直角に立ち上がる側面を有しているので、側面で反射された光も突起部の上端面から出射してしまい、表示記号が二重に見えてしまう。
【０００４】
すなわち、表示プレートの裏面に入射することで表示記号にかたどられた光は、表示プレート内を進み突起部の上端面から出射されるが、一部は、突起部の側面で反射され上端面から出射される。このため、突起部の上端面から直接出射された光と、突起部の側面で反射された光とが同時に視認され、表示記号が二重に見える。
【０００５】
そこで、本発明の課題は、表示プレートの表示記号が二重に見えるのを回避できるシフトレバーの表示装置を提供することにある。
【課題を解決するための手段】
【０００６】
上記した課題を解決するために、請求項１に記載のシフトレバーの表示装置は、複数の貫通孔が配列形成されたカバー部材と、該カバー部材の裏面に配置され、透光性を有すると共に複数の前記貫通孔に嵌合する突起部が形成された表示プレートと、該表示プレートを裏面から照射すべく該表示プレートの裏面に配置された光源とを備え、前記表示プレートの裏面には、前記突起部と対向する位置に表示記号が形成され、前記突起部の側面には梨地加工が施されていることを特徴とする。
【０００７】
請求項２に記載のシフトレバーの表示装置は、複数の貫通孔が配列形成されたカバー部材と、該カバー部材の裏面に配置され、透光性を有すると共に複数の前記貫通孔に嵌合する突起部が形成された表示プレートと、該表示プレートを裏面から照射すべく該表示プレートの裏面に配置された光源とを備え、前記表示プレートの裏面には、前記突起部と対向する位置に表示記号が形成され、前記突起部の側面は、前記表示プレートの表面に対する傾斜面を有することを特徴とする。
【０００８】
請求項３に記載のシフトレバーの表示装置は、複数の貫通孔が配列形成されたカバー部材と、該カバー部材の裏面に配置され、透光性を有すると共に複数の前記貫通孔に嵌合する突起部が形成された表示プレートと、該表示プレートを裏面から照射すべく該表示プレートの裏面に配置された光源とを備え、前記表示プレートの裏面には、前記突起部と対向する位置に表示記号が形成され、前記突起部の側面には梨地加工が施され、且つ前記側面は、前記表示プレートの表面に対する傾斜面を有することを特徴とする。
【０００９】
請求項１に記載のシフトレバーの表示装置によれば、各突起部の側面には梨地加工が施されているため、表示プレートに形成された表示記号を裏面から光源で照射したときに、突起部の側面では光は散乱されてしまうので、側面に向かった光が表示記号としてはドライバーの目に入ることはない。このため、表示記号を光源で照射したとき、突起部の上端面から直接出射した光だけが視認されるので、表示記号が二重に見えることはなく、ドライバーは表示記号をはっきりと見ることができる。
【００１０】
請求項２に記載のシフトレバーの表示装置によれば、突起部の側面が傾斜面を有しているので、表示プレートに形成された表示記号を裏面から光源で照射したときに、突起部の側面に向かった光が側面により反射されてもドライバーの目から外れた方向へ進行する。その結果、表示記号を光源で照射しても、表示記号は、二重に見えることはなくとても見やすくなる。
【００１１】
請求項３に記載のシフトレバーの表示装置によれば、突起部の梨地加工が施された側面は傾斜面を有しているので、表示プレートに入射して側面に向かった光が視認されることはない。このため、表示記号を光源で照射しても、表示記号は二重に見えることなく視認性が高められている。
【発明の効果】
【００１２】
本発明のシフトレバーの表示装置によれば、各突起部の側面には梨地加工が施されているため、表示プレートに形成された表示記号を裏面から光源で照射したときに、突起部の側面に向かった光は側面で散乱されドライバーに表示記号としては視認されない。このため、表示プレートに入射することで表示記号にかたどられた光の内、突起部の上端面から直接出射された光だけを視認することができるので、表示記号が二重に見えることはなく、ドライバーは表示記号をはっきりと見ることができる。
【発明を実施するための最良の形態】
【００１３】
本発明を、図１ないし図４に示した実施例に沿って詳細に説明する。
【実施例】
【００１４】
図１は、本発明に係るシフトレバーの表示装置が形成された車両のセンターコンソール１０を示す。
【００１５】
センターコンソール１０には、Ａ／Ｔシフトレンジを切り替えるためのシフトレバー（図示せず）が設けられ、ドライバーが各Ａ／Ｔシフトレンジの位置を容易に確認できるように表示装置１１が形成されている。
【００１６】
図２に示すように、表示装置１１は、全体に矩形状を呈する板状のカバー部材１２とカバー部材１２の裏面に配置され透光性を有する表示プレート１３とを備える。カバー部材１２にはシフトレバーの切り替え時の可動域となるＡ／Ｔシフト路１４が形成され、このＡ／Ｔシフト路１４の縁部を形成するエスカッション部材１５がカバー部材１２の裏面側からＡ／Ｔシフト路１４と整合して取付けられている。カバー部材１２には、複数の貫通孔１６が縦方向に配列形成されている。各貫通孔１６は、角部にアール部を有する矩形状を呈している。各貫通孔１６は、シフトレバーの各レンジ位置に対応して形成され、車両の前後方向に沿って２列に配列されている。
【００１７】
表示プレート１３には、例えばアクリル樹脂のような透光性を有する素材が用いられる。表示プレート１３は平坦な表面１３ａを有し、その表面１３ａには各貫通孔１６にそれぞれ嵌合する突起部１７が複数形成されている。図３に示すように、表示プレート１３には、その裏面側の各突起部１７に対向する位置に、各Ａ／Ｔシフトレンジを表す表示記号１８（「Ｐ」「Ｒ」「Ｎ」「Ｄ」「３」「２」「１」）がそれぞれ形成されている。この場合、表示記号１８を白抜き文字のようにしてもよい。例えば、各表示記号１８に相当する部分は塗装せず、他の部分に黒い塗装を施しておけば、表示プレート１３の裏面側から光を照射したときに、各表示記号１８に相当する部分だけ光が透過し、各表示記号１８にかたどられた光が形成される。
【００１８】
突起部１７は、表示プレート１３の車両の前後方向に沿って、「Ｐ」「Ｒ」「Ｎ」「Ｄ」「１」の各シフトレンジを表示する列（メイン配列）と、「３」「２」の各シフトレンジを表示する列（サブ配列）とに分けて配置されている。
【００１９】
図４は、図３に示したII−II線に沿って得られた断面図である。ここでは、突起部１７が貫通孔１６に嵌合された状態のカバー部材１２を二点鎖線で示している。
【００２０】
図３、図４に示すように、突起部１７は、表示プレート１３の表面１３ａに一体成形された四角垂台状の基部１９と、基部１９に一体成形された直方体形状の表示部２０とを有する。このため、基部１９の側面部分である傾斜面１９ａと、表示部２０の側面部分である垂直面２０ａとで突起部１７の側面２１が形成されている。表示部２０の上端面２０ｂは平坦面になっている。
【００２１】
傾斜面１９ａの傾斜角Ａは、例えば、表示プレート１３の表面１３ａに対して約８０度に設定されている。
【００２２】
側面２１の垂直面２０ａには梨地加工が施されている。表示プレート１３は、射出成形で製造可能であり、この場合、例えば、成形用型枠のうち垂直面２０ａに対応する部分を梨地状にしておけば、射出成形時に垂直面２０ａに梨地加工を施すことができる。
【００２３】
貫通孔１６の内縁部１６ａには、突起部１７が貫通孔１６に嵌合されたときに突起部１７の傾斜面１９ａと内縁部１６ａとの当接を避けるための切欠き部１６ｂが形成されている。
【００２４】
図２に示すように、カバー部材１２の裏面側には、表示プレート１３を覆うようにランプケース２２が取付けられる。ランプケース２２には光源２３が取付けられる。ランプケース２２には傾斜部２２ａが形成されている。傾斜部２２ａは、光源２３が取付けられる中央部２２ｂから長手方向に向かうにつれて表示プレート１３に近づくように形成されている。光源２３から出射した光は、傾斜部２２ａで反射され、表示プレート１３を裏面から一様に照射する。
【００２５】
カバー部材１２の両側部には、サイレンサーテープなどの防音材２４が貼付けられている。カバー部材１２には、４つのコーナー部の近傍に裏面側へ向けてリブ２５がそれぞれ立設されている。各リブ２５に金属製のクリップ２６を取付け、センターコンソール１０に形成される取付開口(図示せず)にクリップ２６を嵌め込むことで、カバー部材１２はセンターコンソール１０にワンタッチで挿着される。
【００２６】
次に、この実施例の作用について説明する。
【００２７】
夜間またはトンネル等の暗闇に入ったときに、ドライバーがスモールランプを点灯させるのに伴って、光源２３が点灯される。図２に示すように、光源２３から出射した光は、ランプケース２２の傾斜部２２ａで反射され表示プレート１３の裏面側から一様に表示プレート１３を照射する。このとき、本実施例では、照射した光の一部が各表示記号１８を透過し、その他は表示プレート１３に遮光されることで、各表示記号１８にかたどられた光となって、それぞれが突起部１７に向かう（図４を参照。）。そして、この光が突起部１７の表示部２０が規定している上端面２０ｂから出射することで、ドライバーは各表示記号１８を視認することができる。
【００２８】
突起部１７に向かった光はその一部が突起部１７の側面２１にも進行するが、側面２１の垂直面２０ａには梨地加工が施されているので、垂直面２０ａに進行した光は垂直面２０ａに達した時点で散乱されてしまい、表示記号１８をかたどった光としては反射されない。このため、もしこの反射された光の一部が、突起部１７が有する表示部２０の上端面２０ｂから出射したとしても、この光により表示記号１８が視認されることはない。
【００２９】
また、図４に示すように、側面２１に進行した光のその他は、側面２１の傾斜面１９ａに向かう。傾斜面１９ａに向かい反射された光Ｐは、浅い角度で上端面２０ｂに進み、その一部が上端面２０ｂから出射する。各表示記号１８にかたどられ直接上端面２０ｂに向かい出射した光は、上端面２０ｂに対して垂直に近い方向に進行する。このため、側面２１で反射された光と直接上端面２０ｂに向かった光とは、上端面２０ｂから出射したときの進行する方向が異なるため、両光が同時にドライバーの目に入ることはない。
【００３０】
このように、側面２１の梨地加工が施された垂直面２０ａと傾斜面１９ａとにより、表示記号１８が二重に見えることが防止されているので、ドライバーは表示記号１８をくっきりと見ることができる。
【００３１】
したがって、本実施例にかかるシフトレバーの表示装置１１では、暗闇での表示記号１８の視認性を高めるために、表示プレート１３の裏面から光源２３で照射しても表示記号１８が二重に見えることはなく、くっきりと表示記号１８を視認することができ、各Ａ／Ｔシフトレンジの位置を容易に認識することができる。
【００３２】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【００３３】
例えば、上記した実施例では、突起部１７の側面２１は、傾斜面１９ａと垂直面２０ａとを有しているため、側面２１の垂直面部分は狭められているので、垂直面２０ａに梨地加工を施さなくてもよい。しかしながら、垂直面２０ａに梨地加工が施されていると表示記号１８が二重に見えることの防止効果が高まるので、垂直面２０ａに梨地加工を施すことが望ましい。
【００３４】
また、側面２１の傾斜面１９ａには梨地加工が施されてはいなかったが、傾斜面１９ａにも梨地加工を施すと表示記号１８が二重に見えることをより確実に防止できる。
【００３５】
さらに、表示プレート１３に形成された突起部１７は、側面２１に傾斜面１９ａを設けるために基部１９と表示部２０とを有していたが、側面２１全体に梨地加工を施せば側面２１に向かった光は散乱されるので表示記号１８としては視認されない。このため、傾斜面１９ａを設けなくても良く、突起部１７を表示プレート１３の表面１３ａに直方体形状に一体成形して側面２１全体を垂直面とし側面２１全体に梨地加工を施してもよい。
【００３６】
また、突起部１７は、基部１９と表示部２０とを有していたが、突起部１７全体を表示プレート１３の表面１３ａに一体成形された四角垂台状としてもよい。このように形成すると、突起部１７の側面２１全体が傾斜面１９ａとなるので、表示記号１８が二重に見えることを防止できる。この場合、側面２１には梨地加工を施さなくてもよいが、側面２１全体に梨地加工を施せば、表示記号１８が二重に見えることをより確実に防止できる。しかしながら、側面２１の上部に垂直面２０ａを有していると、貫通孔１６に突起部１７を嵌合させたときに貫通孔１６の内縁部１６ａと垂直面２０ａとが係合可能であるため、貫通孔１６に突起部１７を嵌合させたときに、貫通孔１６と突起部１７との横ずれが抑止され安定して配置することができるので、垂直面２０を設けることが望ましい。
【００３７】
突起部１７の上端面２０ｂは矩形状を呈していたが、例えば、円形でもよく上記した実施例に限定されるものではない。これに伴い、突起部１７の形状を上端面２０ｂの形状に合わせて形成してもよい。
【００３８】
梨地加工は側面２１にだけ施されていたが、突起部１７の上端面２０ｂを除いた表示プレート１３の表面１３ａ側全体に施してもよい。
【００３９】
また、側面２１に施された梨地加工は、表示プレート１３を成型する際に使用する型枠に梨地加工を施すことで形成されていたが、例えば、表示プレート１３を成型した後に突起部１７の側面２１にブラスト加工を施してもよく、上記した実施例に限定されるものではない。
【図面の簡単な説明】
【００４０】
【図１】本発明に係るシフトレバーの表示装置が設けられたセンターコンソールを示す斜視図である。
【図２】図１のシフトレバーの表示装置の分解斜視図である。
【図３】図２の表示プレートの平面図である。
【図４】図２に示したII−II線に沿って得られた断面図である。
【符号の説明】
【００４１】
１１  （シフトレバーの）表示装置
１２  カバー部材
１３  表示プレート
１６  貫通孔
１７  突起部
１８  表示記号
２１  （突起部の）側面
２３  光源
【図１】
2005145188.tif 000003
【図２】
2005145188.tif 000004
【図３】
2005145188.tif 000005
【図４】
2005145188.tif 000006